(57)【特許請求の範囲】
【請求項１】
浴槽の浴水をポンプにより循環させ、浴水を濾過、殺菌する浄化機構と、
高温水を蓄える蓄熱槽と、
該蓄熱槽の高温水を前記浄化機構に選択的に導入する導入手段と、
前記蓄熱槽を含めて浴水を循環させる経路を形成して、蓄熱層の浴水を前記浄化機構に供給する循環経路形成手段と、
前記循環経路形成手段により形成された循環経路の所定位置に配置されて前記蓄熱槽から混入する浴水の圧力を検出する圧力センサと、
前記検出した圧力が所定値以下の場合にその旨の告知を行う手段と、
前記循環経路形成手段により循環経路を形成し、前記圧力センサから検出圧力を得て、該検出圧力が所定値以下の場合には、前記告知を行う手段によりその旨の告知を行わせる、制御手段と、
を備えたことを特徴とする蓄熱槽を備えた浴水浄化装置。
【請求項２】
浴水を循環して浄化する浄化機構と、
高温水を蓄える蓄熱槽と、
前記蓄熱槽に設けられた加熱用のヒータと、
該蓄熱槽の高温水を前記浄化機構に選択的に導入する導入手段と、
前記蓄熱槽を含めて浴水を循環させる経路を形成する循環経路形成手段と、
前記循環経路形成手段により形成された循環経路の所定位置の圧力を検出する圧力センサと、
前記検出した圧力が所定値以下の場合にその旨の告知を行う手段と、
前記加熱用のヒータを稼働させるに際して、前記循環経路形成手段により循環経路を形成し、前記圧力センサから検出圧力を得て、該検出圧力が所定値以下の場合に前記蓄熱槽への水張りを実行させ、所定時間経過後に再び前記検出圧力を得て、該検出圧力が再度所定値以下の場合には、前記告知を行う手段によりその旨の告知を行わせる、制御手段と、
を備えた．ことを特徴とする蓄熱槽を備えた浴水浄化装置。
【発明の詳細な説明】
【０００１】
【発明の属する技術分野】
この発明は、蓄熱槽を備えた浴水浄化装置に関する。
【０００２】
【従来の技術】
浴槽の浴水をポンプなどにより循環させ、浴水を濾過、殺菌する浴水浄化装置が近年普及している。この浴水浄化装置に深夜電力などのコストの安いエネルギを使用して熱水を作り、これを蓄熱槽に蓄えて適宜高温水を供給して保温や追い焚きに用いるタイプのものが本願出願人により提案され、市販されている。
蓄熱槽において、加熱を行う場合蓄熱槽に水がない状態で加熱する所謂空焚きを防止することが重要である。
そのために、従来は蓄熱槽内にフロートセンサを設けて水の有無を確認したり、或いは蓄熱槽内に温度センサを設け、加熱の際の温度上昇の度合いにより水の有無を検出することが行われていた。
【０００３】
【発明が解決しようとする課題】
しかし、フロートセンサの場合汚れやカルシウムの付着により故障が生じやすい問題があった。また温度センサによる場合は一度加熱してみないと水の有無がわからず、若干の空焚き状態を避けることができず、蓄熱槽に悪影響を与える問題があった。
本発明は上記従来技術の欠点を改善することを目的とする。
【０００４】
【課題を解決するための手段】
上記目的を達成するために、本発明は、浴槽の浴水をポンプにより循環させ、浴水を濾過、殺菌する浄化機構と、高温水を蓄える蓄熱槽と、該蓄熱槽の高温水を前記浄化機構に選択的に導入する導入手段と、前記蓄熱槽を含めて浴水を循環させる経路を形成して、蓄熱層の浴水を前記浄化機構に供給する循環経路形成手段と、前記循環経路形成手段により形成された循環経路の所定位置に配置されて前記蓄熱槽から混入する浴水の圧力を検出する圧力センサと、前記検出した圧力が所定値以下の場合にその旨の告知を行う手段と、前記循環経路形成手段により循環経路を形成し、前記圧力センサから検出圧力を得て、該検出圧力が所定値以下の場合には、前記告知を行う手段によりその旨の告知を行わせる、制御手段と、を備えたことを特徴とする蓄熱槽を備えた浴水浄化装置とすることで課題を解決した。
また本発明は、浴水を循環して浄化する浄化機構と、高温水を蓄える蓄熱槽と、前記蓄熱槽に設けられた加熱用のヒータと、該蓄熱槽の高温水を前記浄化機構に選択的に導入する導入手段と、前記蓄熱槽を含めて浴水を循環させる経路を形成する循環経路形成手段と、前記循環経路形成手段により形成された循環経路の所定位置の圧力を検出する圧力センサと、前記検出した圧力が所定値以下の場合にその旨の告知を行う手段と、前記加熱用のヒータを稼働させるに際して、前記循環経路形成手段により循環経路を形成し、前記圧力センサから検出圧力を得て、該検出圧力が所定値以下の場合に前記蓄熱槽への水張りを実行させ、所定時間経過後に再び前記検出圧力を得て、該検出圧力が再度所定値以下の場合には、前記告知を行う手段によりその旨の告知を行わせる、制御手段と、を備えた．ことを特徴とする蓄熱槽を備えた浴水浄化装置とすることで課題を解決した。
【０００５】
【発明の実施の形態】
以下本発明の実施の形態を図面に基づいて説明する。
図１において、浴槽１の浴水は出水管２を経由して湯温センサ３により温度を測定され、循環ポンプ４から濾過タンク６へ送られ、ここで濾過され切り替えバルブＶ１と切り替えバルブＶ２を通って入水管１０から浴槽１へ戻されるようになっている。５は圧力センサであって、循環ポンプ４の入り口と出口の圧力差を検出するようになっている。
【０００６】
蓄熱槽７には蓄熱ヒータ８が備えられており、例えば深夜電力により蓄熱槽７の浴水を所定の高温まで加熱するようになっている。図２に示すように、切り替えバルブＶ１を切り替えることにより浴水を蓄熱槽７の下部から導入し、この圧力により蓄熱槽７の上部から高温水を混合部９側へ出力するようになっている。この混合部９において切り替えバルブＶ１からの常温の浴水と蓄熱槽７からの高温の浴水を混合し、切り替えバルブＶ２の手前の管路に供給して、入水管１０を通って浴槽１に加温された浴水を供給するようになっている。
【０００７】
深夜電力等により蓄熱ヒータ８を加熱する際には、図３に示すように切り替えバルブＶ２を入水管１０側から出水管２側に切り替えて循環ポンプ４、濾過タンク６、切り替えバルブＶ１、蓄熱槽７、混合部９、切り替えバルブＶ２、循環ポンプ４という循環経路を形成するように構成されている。
この循環経路に浴水を循環させ、圧力センサ５により循環ポンプ４の吸い込み側と吐き出し側の圧力差を検出する。蓄熱槽７が水で満たされていない場合には、エアーが循環し、循環ポンプ４が空転状態となり圧力センサ５からは圧力差が検出されない。これにより蓄熱槽７には水がないと判断できる。
【０００８】
図４に制御装置のブロック図を示す。制御装置２０はマイクロコンピュータを主体に構成されており、メモリ２１に格納されたプログラム及びデータに基づいて装置全体の制御を行うようになっている。操作キー２２はユーザの指令を入力するものであって、この指令に応じて種々の制御を行うようになっている。また、制御装置２０には前記した圧力センサ５からの圧力検出値や湯温センサ３からの温度検出値等が入力され、表示装置２３への表示やブザー２４による警告等がなされるようになっている。制御装置２０はまた循環ポンプ４、蓄熱ヒータ８、切り替えバルブＶ１、切り替えバルブＶ２等の制御を行うようになっている。
【０００９】
この実施形態では蓄熱ヒータ８の稼働は深夜電力が適用される時間によりなされるようになっており、制御装置２０は内部タイマにより蓄熱ヒータ８の通電時間の到来を知ると、切り替えバルブＶ１、切り替えバルブＶ２を制御して図３に示す内部循環モードとし、圧力センサ５からの圧力検出により蓄熱槽７の水の有無を判断し、水がない場合には表示装置２３に表示すると共にブザー２４により警告を発するようになっている。
また、更に加えてこの実施形態では切り替えバルブＶ２を図２に示す状態に戻して、浴水を切り替えバルブＶ１から蓄熱槽７へと送り、蓄熱槽７に浴水を満たした上で蓄熱ヒータ８の稼働を実行するように構成されている。
なお、表示装置２３やブザー２４による告知と切り替えバルブＶ２の制御による浴水の蓄熱槽７への充填は両方行ってもよいし、どちらか一方を行うようにしても良い。
【００１０】
図５のフローチャートにより上記動作を更に説明する。
図１に示す浄化モードで運転を継続し（ステップＳ１）、蓄熱ヒータ８の通電時刻がくると（ステップＳ２）、切り替えバルブＶ１と切り替えバルブＶ２を切り替えて図３に示すチェックモードとし（ステップＳ３）、圧力センサ５の検出値をチェックする（ステップＳ４）。圧力センサ５がオンで水ありと判断されたら、切り替えバルブＶ１と切り替えバルブＶ２を図１の状態に戻して、浄化モードで運転を行い（ステップＳ５）、同時に蓄熱ヒータ８に通電を開始する（ステップＳ６）。ステップＳ４で圧力センサ５がオフで蓄熱槽７に水無しと判断されたら、同様に切り替えバルブＶ１と切り替えバルブＶ２を図１の浄化モードに戻して（ステップＳ７）、表示装置２３にエラー表示を行わせ（ステップＳ８）、ユーザのキー操作による蓄熱槽７への水張りを行わせる（ステップＳ９）。
【００１１】
図６により他の実施形態を説明する。
図１に示す浄化モードで運転を継続し（ステップＳ２０）、蓄熱ヒータ８の通電時刻がくると（ステップＳ２１）、切り替えバルブＶ１と切り替えバルブＶ２を切り替えて図３に示すチェックモードとし（ステップＳ２２）、圧力センサ５の検出値をチェックする（ステップＳ２３）。圧力センサ５がオンで水ありと判断されたら、切り替えバルブＶ１と切り替えバルブＶ２を図１の状態に戻して、浄化モードで運転を行い（ステップＳ２４）、同時に蓄熱ヒータ８に通電を開始する（ステップＳ２５）。ステップＳ２３で圧力センサ５がオフで蓄熱槽７に水無しと判断されたら、２度目のオフか否か判断し（ステップＳ２６）、１度目であれば切り替えバルブＶ１と切り替えバルブＶ２を図２の加温モードに設定して（ステップＳ２７）、所定の時間蓄熱槽７への水張りを実行させる（ステップＳ２８）。そして、ステップＳ２２に戻る。
ステップＳ２６で２度目のオフの場合には、浄化位相に切替えて表示装置２３にエラー表示を行わせ（ステップＳ２９）、ユーザのキー操作による蓄熱槽７への水張りを行わせる（ステップＳ３０）。
【００１２】
以上説明した実施形態では、内部循環経路を形成して圧力センサ５により蓄熱槽７の水の有無を検出するため、蓄熱槽７の空焚きを防止できる。また汚れやカルシュウムの付着による測定の精度低下を防止できる。更に蓄熱槽７の水の温度や循環浴水の温度などに左右されずに確実に検出が可能である。
【００１３】
【発明の効果】
以上説明したように本発明の蓄熱槽を備えた浴水浄化装置によれば、蓄熱槽の空焚きを確実に防止できる。
【図面の簡単な説明】
【図１】本発明の一実施形態を示す概略図。
【図２】本発明の一実施形態の動作を説明する概略図。
【図３】本発明の一実施形態の他の動作を説明する概略図。
【図４】本発明の一実施形態を示す機能ブロック図。
【図５】本発明の一実施形態の動作を説明するフローチャート図。
【図６】本発明の一実施形態の動作を説明するフローチャート図。
【符号の説明】
１：浴槽、２：出水管、３：湯温センサ、４：循環ポンプ、５：圧力センサ、６：濾過タンク、７：蓄熱槽、８：蓄熱ヒータ、９：混合部、１０：入水管、２０：制御装置、２１：メモリ、２２：操作キー、２３：表示装置、２４：ブザー。
【図１】
0003947298.tif 000002
【図２】
0003947298.tif 000003
【図３】
0003947298.tif 000004
【図４】
0003947298.tif 000005
【図５】
0003947298.tif 000006
【図６】
0003947298.tif 000007